(57)【要約】【課題】  ＬＥＤ負荷の消費電力のばらつきを抑制できるＬＥＤ電源装置おびこのＬＥＤ電源装置を具備する照明装置を提供する。【解決手段】  ＬＥＤ電源装置１は、スイッチング素子Ｑ１のオンオフ動作に応じた直流電圧を出力する直流出力生成回路２と、直流出力生成回路２の出力間に接続されるＬＥＤ負荷３と、ＬＥＤ負荷３の負荷電圧の検出電圧値および負荷電流の検出電流値の合計値に応じてスイッチング素子Ｑ１をオンオフ制御することにより、直流出力生成回路２の出力が制御式を満足するように制御する制御手段５とを具備し、制御式は、出力電圧＝−ａ＊出力電流＋定数であり、ａは、全光時におけるＬＥＤ負荷３の負荷電圧を負荷電流の２倍で除した値よりも大きい値に設定されている。【選択図】図１
2013125730.tif 000002
【特許請求の範囲】
【請求項１】
スイッチング素子を備え、このスイッチング素子のオンオフ動作に応じた直流電圧を出力する直流出力生成回路と；
この直流出力生成回路の出力間に接続されるＬＥＤ負荷と；
このＬＥＤ負荷に印加される負荷電圧の検出電圧値および前記ＬＥＤ負荷に流れる負荷電流の検出電流値の合計値に応じて前記スイッチング素子をオンオフ制御することにより前記直流出力生成回路の出力が下記の式１を満足するように制御する制御手段と；
を具備していることを特徴とするＬＥＤ電源装置。
式１；  出力電圧＝−ａ＊出力電流＋定数（ｂ）
ただし、負荷電圧の検出電圧値が零のときを除くものであり、ａ＞ａ１＊０．５であり、ａ１は、全光時における前記ＬＥＤ負荷に印加される負荷電圧を負荷電流で除した値である。
【請求項２】
前記ａは、ａ１≦ａ＜ａ２の範囲であることを特徴とする請求項１記載のＬＥＤ電源装置。ここで、ａ２は、ａ１＊１０である。
【請求項３】
請求項１または２記載のＬＥＤ電源装置と；
このＬＥＤ電源装置を配設している装置本体と；
を具備していることを特徴とする照明装置。
【発明の詳細な説明】
【技術分野】
【０００１】
本発明の実施形態は、ＬＥＤ負荷を調光信号に応じて点灯するＬＥＤ電源装置およびこのＬＥＤ電源装置を具備する照明装置に関する。
【背景技術】
【０００２】
ＬＥＤ負荷の電源として、スイッチング手段を用いた直流の電源装置が多く用いられている。その電源装置には、外部からの調光信号に応じてＬＥＤ負荷の光量を調整する調光機能を有するものもある。
【０００３】
本出願人は、ＬＥＤ負荷の調光深度の浅い領域から深い領域までの広い調光範囲において、安定した調光制御を実現できる電源装置を提案した（特許文献１参照。）。この特許文献１の電源装置は、ＬＥＤ負荷の電圧−電流特性と交差する特性を有し、その交差点がＬＥＤ負荷の動作点となるように設けられる出力インピーダンスを有する。そして、電源装置は、ＬＥＤ負荷の個体差や温度特性によるばらつきに対して、ＬＥＤ負荷に流れる電流のばらつきを抑制することができて、ＬＥＤ負荷の光出力のばらつきを抑制できるという利点を有している。
【先行技術文献】
【特許文献】
【０００４】
【特許文献１】特開２００９−２３１１４７号公報（第５−６頁、第４図）
【発明の概要】
【発明が解決しようとする課題】
【０００５】
ＬＥＤ負荷のばらつきが大きい場合を考慮すると、出力インピーダンスの負荷特性の設定によっては、ＬＥＤ負荷の電圧−電流特性との交差角度が小さくなることがあり、特に調光深度の浅い領域で当該交差角度が小さくなり、この場合、ＬＥＤ負荷の個体差などによるばらつきに対するＬＥＤ負荷の消費電力のばらつきが大きくなることがある。
【０００６】
本実施形態は、ＬＥＤ負荷の消費電力のばらつきを抑制できるＬＥＤ電源装置およびこのＬＥＤ電源装置を具備する照明装置を提供することを目的とする。
【課題を解決するための手段】
【０００７】
本実施形態のＬＥＤ電源装置は、直流出力生成回路、ＬＥＤ負荷および制御手段を有して構成される。
【０００８】
直流出力生成回路は、制御手段によりオンオフ制御されるスイッチング素子を備えている。そして、スイッチング素子のオンオフ動作に応じた直流電圧を出力するように形成されている。ＬＥＤ負荷は、直流出力生成回路の出力間に接続される。
【０００９】
制御手段は、ＬＥＤ負荷に印加される負荷電圧の検出電圧値およびＬＥＤ負荷に流れる負荷電流の検出電流値の合計値に応じて直流出力生成回路のスイッチング素子をオンオフ制御することにより、直流出力生成回路の出力が下記の式１を満足するように制御する。
【００１０】
式１；  出力電圧＝−ａ＊出力電流＋定数
【００１１】
ただし、負荷電圧の検出電圧値が零のときを除くものであり、ａ＞ａ１＊０．５であり、ａ１は、全光時におけるＬＥＤ負荷に印加される負荷電圧をＬＥＤ負荷に流れる負荷電流で除した値である。
【発明の効果】
【００１２】
本発明の実施形態によれば、制御手段は、ＬＥＤ負荷の負荷電圧の検出電圧値および負荷電流の検出電流値の合計値に応じて直流出力生成回路のスイッチング素子をオンオフ制御することにより、直流出力生成回路の出力電圧が−ａ＊出力電流＋定数を満足するように制御するので、ＬＥＤ電源装置の電流−電力特性と、ＬＥＤ負荷の電流−電力特性との交差角度が大きくなり、これにより、ＬＥＤ負荷のばらつきに対してＬＥＤ負荷の負荷電力のばらつきの範囲を抑制できることが期待できる。
【図面の簡単な説明】
【００１３】
【図１】本発明の第１の実施形態を示すＬＥＤ電源装置の回路図である。
【図２】同じく、ＬＥＤ電源装置の電流に対する電圧の変化を示す特性図である。
【図３】同じく、ＬＥＤ電源装置の電流に対する電力の変化を示す特性図である。
【図４】本発明の第２の実施形態を示す照明装置の概略側断面図である。
【発明を実施するための形態】
【００１４】
以下、本発明の一実施の形態について、図面を参照して説明する。まず、第１の実施形態について説明する。
【００１５】
本実施形態のＬＥＤ電源装置１は、直流出力生成回路２、ＬＥＤ負荷３、基準値出力回路４および制御手段５を有して構成されている。
【００１６】
直流出力生成回路２は、交流電圧を直流電圧に変換するＡＣ−ＤＣ変換回路６および直流電圧を所定の出力電圧に調整するＤＣ−ＤＣ変換回路７からなっている。ＡＣ−ＤＣ変換回路６は、整流器８および平滑用コンデンサＣ１を有してなり、商用交流電源Ｖｓに整流器８の入力端子が接続され、整流器８の出力端子間に平滑用コンデンサＣ１が接続されている。平滑用コンデンサＣ１の両端間に商用交流電源Ｖｓの交流電圧を整流平滑した直流電圧が発生する。
【００１７】
ＤＣ−ＤＣ変換回路７は、平滑用コンデンサＣ１の両端間に接続されたスイッチング素子としての電界効果トランジスタＱ１およびダイオードＤ１の直列回路と、このダイオードＤ１に並列接続されたインダクタＬ１およびコンデンサＣ２の直列回路とを有して形成されている。電界効果トランジスタＱ１は、後述の制御回路１２によってオンオフ制御されるとともに、そのオン期間が変化される。コンデンサＣ２の負極側は、アースＥに接続されている。
【００１８】
コンデンサＣ２は、電界効果トランジスタＱ１がオンしているときに、平滑用コンデンサＣ１の両端間電圧によって充電され、電界効果トランジスタＱ１がオフしているときに、インダクタＬ１の電磁エネルギーによる電流がインダクタＬ１、コンデンサＣ２およびダイオードＤ１の閉回路内に流れて充電される。そして、コンデンサＣ２の両端間には、電界効果トランジスタＱ１のオンオフ動作に応じた直流電圧が発生する。コンデンサＣ２の両端間電圧は、直流出力生成回路２の出力電圧となっている。
【００１９】
ＬＥＤ負荷３は、直列接続された複数個のＬＥＤ素子９を有して形成されている。ＬＥＤ素子９は、可視光例えば白色光を放射する既存品からなっている。そして、ＬＥＤ負荷３は、直流出力生成回路２の出力間であるコンデンサＣ２の両端間に接続されている。ＬＥＤ負荷３には、直流出力生成回路２から出力される直流電圧が印加され、当該直流電圧に応じた電流が流れる。これにより、ＬＥＤ素子９が点灯して可視光が放射される。そして、ＬＥＤ素子９は、直流出力生成回路２から出力される直流電圧に応じて調光点灯される。
【００２０】
そして、ＬＥＤ負荷３の両端間には、ＬＥＤ負荷３の両端間電圧（負荷電圧）を検出する抵抗Ｒ１および抵抗Ｒ２の直列回路が接続されている。また、当該直列回路と、コンデンサＣ２の負極側との間には、ＬＥＤ負荷３に流れる電流（負荷電流）を検出する抵抗Ｒ３が接続されている。負荷電流は、抵抗Ｒ３により電圧に変換される。
【００２１】
基準値出力回路４は、外部の調光装置１０に接続されており、この調光装置１０からＬＥＤ負荷３の調光深度を変化させる調光信号を入力する。調光信号は、例えばＰＷＭ制御信号である。すなわち、調光装置１０は、ＰＷＭ制御信号のデューテイ比を変えることで異なる調光深度の調光信号を出力し、ここでは、調光深度ｋ１、ｋ２、…、ｋ７の調光信号を出力するように形成されている。そして、基準値出力回路４は、調光深度ｋ１、ｋ２、…、ｋ７に応じた基準値Ｖref/kを出力するように形成されている。なお、調光信号は、調光深度を連続的に変化させるものであってもよい。
【００２２】
制御手段５は、比較器１１および制御回路１２を有して構成されている。比較器１１は、一方の入力端子が基準値出力回路４に接続され、他方の入力端子が抵抗Ｒ１および抵抗Ｒ２の中点ｓ１に接続されている。すなわち、比較器１１は、一方の入力端子に基準値出力回路４から出力された基準値Ｖref/kが入力され、他方の入力端子にＬＥＤ負荷３に印加される負荷電圧の検出電圧値およびＬＥＤ負荷３に流れる負荷電流の検出電流値の合計値が入力される。そして、比較器１１は、前記基準値Ｖref/kおよび前記合計値の差分を制御回路１２に出力する。
【００２３】
制御回路１２は、比較器１１から出力される前記差分が零となるように、すなわち前記合計値が前記基準値Ｖref/kとなるように、直流出力生成回路２の電界効果トランジスタＱ１をオンオフ制御するように形成されている。したがって、ＬＥＤ負荷３は、調光装置１０から出力された調光信号の調光深度ｋ１、ｋ２、…、ｋ７となるように調光点灯される。
【００２４】
ＬＥＤ負荷３の検出回路（Ｒ１〜Ｒ３）および制御回路１２は、直流出力生成回路２の出力電圧および出力電流が以下の制御式１を満足するように、電界効果トランジスタＱ１をオンオフ制御するように形成されている。当該出力電圧は、ＬＥＤ負荷３に印加される負荷電圧（Ｖｆ）となり、当該出力電流は、ＬＥＤ負荷３に流れる負荷電流（Ｉｆ）となるものである。
【００２５】
式１；  出力電圧＝−ａ＊出力電流＋定数（ｂ）
【００２６】
ここで、定数ａおよび定数（ｂ）は、以下に設定される。
【００２７】
制御回路１２は、ＬＥＤ負荷３に印加される負荷電圧（Ｖｆ）の検出電圧値およびＬＥＤ負荷３に流れる負荷電流（Ｉｆ）の検出電流値の合計値が基準値出力回路４から出力された基準値Ｖref/kとなるように制御するので、下記の式２〜式４が得られる。なお、電流は、アンペア（Ａ）、電圧は、ボルト（Ｖ）、抵抗は、オーム（Ω）で現される。
【００２８】
式２；  Ｉｆ*Ｒ３+Ｖｆ*Ｒ２/(Ｒ１+Ｒ２)＝Ｖref/k
【００２９】
式３；  Ｉｆ*Ｒ３*(Ｒ１+Ｒ２)/Ｒ２+Ｖｆ＝Ｖref/k*(Ｒ１+Ｒ２)/Ｒ２
【００３０】
式４；  Ｖｆ＝−Ｉｆ*Ｒ３*(Ｒ１+Ｒ２)/Ｒ２+Ｖref/k*(Ｒ１+Ｒ２)/Ｒ２
【００３１】
これにより、定数ａは、Ｒ３＊（Ｒ１＋Ｒ２）／Ｒ２に設定され、定数（ｂ）は、Ｖref/k＊（Ｒ１＋Ｒ２）／Ｒ２に設定される。
【００３２】
そして、本実施形態では、定数ａは、ＬＥＤ負荷３の全光時におけるＬＥＤ負荷３に印加される負荷電圧Ｖｆを、ＬＥＤ負荷３の全光時におけるＬＥＤ負荷３に流れる負荷電流Ｉｆの２倍で除した値（Ｖｆ／（Ｉｆ＊２））よりも大きい値となるように、前記抵抗Ｒ１〜Ｒ３の抵抗値が設定されている。
【００３３】
ＬＥＤ電源装置１は、上記式４により、図２に示すように、調光信号の調光深度ｋ１、ｋ２、…、ｋ７に応じて、異なる電流（Ｉｆ）に対する電圧（Ｖｆ）特性（Ｉｆ−Ｖｆ特性）が得られる。そして、調光深度ｋ１、ｋ２、…、ｋ７に対応するそれぞれのＩｆ−Ｖｆ特性は、傾きが前記定数ａであり、電圧軸上の接点ｂ１、ｂ２、…、ｂ７が調光深度ｋ１、ｋ２、…、ｋ７に応じて変化される前記定数（ｂ）となっている。
【００３４】
そして、調光深度ｋ１、ｋ２、…、ｋ７に対応するそれぞれのＩｆ−Ｖｆ特性と、ＬＥＤ負荷３のＩｆ−Ｖｆ特性との交点Ｚ１ａがＬＥＤ負荷３の動作点となるものである。また、ＬＥＤ負荷３は、その個体差や温度特性によるばらつきによってＩｆ−Ｖｆ特性が変化し、例えば図２中、Ｌｂ，Ｌｃに示すように変化し、ＬＥＤ電源装置１のＩｆ−Ｖｆ特性との交点が、図２中、Ｚ１ｂ，Ｚ１ｃで示すように変化する。すなわち、ＬＥＤ負荷３の動作点は、ＬＥＤ負荷３の個体差や温度特性によって、調光深度ｋ１、ｋ２、…、ｋ７に対応するそれぞれのＩｆ−Ｖｆ特性上で変化する。
【００３５】
そして、ＬＥＤ負荷３は、電流が流れて点灯することにより、電力（Ｐ）を消費する。電力（Ｐ）は、
式５；  Ｐ＝Ｖｆ*Ｉｆ
であるので、式１より、
【００３６】
式６；  Ｐ＝−ａ＊Ｉｆ＾２＋ｂ＊Ｉｆ
【００３７】
となり、凸形の二次曲線（放物線）で現わせる。これは、ＬＥＤ負荷３を二次曲線の頂点から離れた動作点で動作させるほど、ＬＥＤ負荷３の個体差や温度特性によるばらつきに対する電力変動が大きくなり、二次曲線の頂点近傍で動作させると、ＬＥＤ負荷３のばらつきに対する電力変動が抑えられることを示す。二次曲線の頂点の電流値は、式６を電流で微分して得られる式７の関係となる。
式７；  −２ａ＊Ｉｆ＋ｂ＝０
【００３８】
そして、ＬＥＤ負荷３の全光時における負荷電流Ｉｆ１、負荷電圧Ｖｆ１で式６の頂点となる条件を式７および式１を用いて求めると、以下のとおりとなる。
式８；  −２ａ＊Ｉｆ１＋ｂ＝０
式９；  Ｖｆ１＝−ａ＊Ｉｆ１＋ｂ
【００３９】
式１０；  ２ａ＊Ｉｆ１＝ａ＊Ｉｆ１＋Ｖｆ１
式１１；  ａ＝Ｖｆ１／Ｉｆ１
【００４０】
すなわち、式１において、定数ａは、全光時におけるＬＥＤ負荷３の負荷電圧Ｖｆ１を負荷電流Ｉｆ１で除した値に設定される。図３に、Ｖｆ１／Ｉｆ１であるときの定数ａを定数ａ１として、ＬＥＤ電源装置１の電流に対する電力の変化の特性を示す。当該電流に対する電力特性は、凸形の二次曲線（放物線）となっている。
【００４１】
図３において、ＬＥＤ負荷３は、その電圧（Ｖｆ）がばらついて、電流に対する電力の変化が図示のように最大値および最小値の範囲にあるものとする。ここで、定数ａ１におけるＬＥＤ電源装置１の電流に対する電力の特性は、その二次曲線の頂点側でＬＥＤ負荷３の電流に対する電力の特性と交差する。したがって、ＬＥＤ負荷３は、Ｖｆ最大値およびＶｆ最小値の範囲でばらついていても、その消費電力が最大値１５．４Ｗ、最小値１５．１Ｗとなり、ほぼ一定となるものである。すなわち、ＬＥＤ負荷３がばらついていても、ＬＥＤ負荷３の消費電力のばらつきが抑制される。
【００４２】
また、定数ａが定数ａ１の１０倍である定数ａ２であるときのＬＥＤ電源装置１は、その電流に対する電力の特性が負特性の略直線となっている。ＬＥＤ電源装置１は、ＬＥＤ負荷３のＶｆ最大値およびＶｆ最小値のばらつきに対して、ＬＥＤ負荷３を消費電力１７．８Ｗおよび１５．０Ｗで点灯させる。このＬＥＤ負荷３の消費電力のばらつきは、センター値（１５．４Ｗ）に対して、それぞれ＋１５．６％および−２．６％となっている。定数ａ２であっても、ＬＥＤ負荷３の消費電力のばらつきがセンター値の１６％以内に抑制される。
【００４３】
また、定数ａが定数ａ１の２倍である定数ａ３であるときのＬＥＤ電源装置１は、その電流に対する電力の特性が定数ａ１のときよりも低電流側にずれて、ＬＥＤ負荷３のＶｆ最大値およびＶｆ最小値のばらつきに対して、ＬＥＤ負荷３を消費電力１６．４Ｗおよび１５．２Ｗで点灯させる。このＬＥＤ負荷３の消費電力のばらつきは、センター値（１５．４Ｗ）に対して、それぞれ＋６．５％および−１．３％となっている。定数ａ３であっても、ＬＥＤ負荷３の消費電力のばらつきが抑制される。
【００４４】
また、定数ａが定数ａ１の０．５倍である定数ａ４であるときのＬＥＤ電源装置１は、その電流に対する電力の特性が正特性の曲線となっている。ＬＥＤ電源装置１は、ＬＥＤ負荷３のＶｆ最大値およびＶｆ最小値のばらつきに対して、ＬＥＤ負荷３を消費電力１５．８Ｗおよび１３．２Ｗで点灯させる。このＬＥＤ負荷３の消費電力のばらつきは、センター値（１５．４Ｗ）に対して、それぞれ＋２．６％および−１４．３％となっている。定数ａ４であっても、ＬＥＤ負荷３の消費電力のばらつきがセンター値の１５％以内に抑制される。
【００４５】
そして、定数ａが設定可能な限りなく大きい設定値である定数ａ５であるときのＬＥＤ電源装置１は、その電流に対する電力の特性が定電流特性となり、ＬＥＤ負荷３のＶｆ最大値およびＶｆ最小値のばらつきに対して、ＬＥＤ負荷３を消費電力１８．１Ｗおよび１４．９Ｗで点灯させる。このＬＥＤ負荷３の消費電力のばらつきは、センター値（１５．４Ｗ）に対して、それぞれ＋１７．５％および−３．２％となっている。ＬＥＤ負荷３は、その消費電力のばらつきがセンター値の１８％以内に抑制される。
【００４６】
したがって、本実施形態では、定数ａが定数ａ４の値よりも大きくなるように設定するものである。すなわち、定数ａは、ＬＥＤ負荷３の全光時における負荷電圧Ｖｆ１を負荷電流Ｉｆ１の２倍で除した値（Ｖｆ１／（Ｉｆ１＊２）すなわちＶｆ１／Ｉｆ１＊０．５）よりも大きい値に設定される。ここで、ＬＥＤ負荷３の負荷電圧Ｖｆの検出電圧値（Ｖｆ＊Ｒ２／（Ｒ１＋Ｒ２））が零のときを除くものである。これにより、ＬＥＤ負荷３に対する定電流制御が除かれる。そして、全光時における負荷電圧Ｖｆ１および負荷電流Ｉｆ１は、ＬＥＤ負荷３の設計に応じて、図２に示すように、決定される。
【００４７】
また、ＬＥＤ負荷３は、その電力の変動範囲が±１５％以内であるのが好適である。したがって、本実施形態では、ＬＥＤ負荷３の電力の変動範囲を±１５％以内にする点および制御の観点から、定数ａをａ１≦ａ＜ａ２の範囲とするものである。すなわち、定数ａは、全光時における負荷電圧Ｖｆ１を負荷電流Ｉｆ１で除した値（Ｖｆ１／Ｉｆ１）以上であり、当該値（Ｖｆ１／Ｉｆ１）の１０倍以内の値に設定される。
【００４８】
次に、第１の本実施形態の作用について述べる。
【００４９】
商用交流電源Ｖｓが投入されると、直流出力生成回路２のＡＣ−ＤＣ変換回路６の平滑用コンデンサＣ１の両端間に直流電圧が発生する。制御手段５の制御回路１２は、ＤＣ−ＤＣ変換回路７の電界効果トランジスタＱ１をオンオフ制御し、平滑用コンデンサＣ１の両端間に発生した直流電圧を調整して、ＤＣ−ＤＣ変換回路７のコンデンサＣ２の両端間に所定の直流電圧を発生させる。この直流電圧がＬＥＤ負荷３の両端間に印加されて、ＬＥＤ負荷３に電流が流れる。これにより、ＬＥＤ負荷３が点灯して、ＬＥＤ負荷３から可視光が放射される。
【００５０】
そして、制御回路１２は、ＬＥＤ電源装置１の電流−電圧特性と、ＬＥＤ負荷３の電流−電圧特性の交点における電流がＬＥＤ負荷３に供給されるように、電界効果トランジスタＱ１をオンオフ制御するとともに、ＬＥＤ負荷３の負荷電圧（Ｖｆ）の検出電圧値および負荷電流（Ｉｆ）の合計値が基準値出力回路４から出力された基準値（Ｖref/k）となるように、電界効果トランジスタＱ１をオンオフ制御する。これにより、ＬＥＤ負荷３には、外部の調光装置１０から出力された調光信号の調光深度ｋ１、ｋ２、…、ｋ７に応じた電流が流れる。ＬＥＤ負荷３は、調光信号の調光深度ｋ１、ｋ２、…、ｋ７で点灯する。
【００５１】
そして、制御回路１０が制御する制御式１の傾斜である定数ａは、ＬＥＤ負荷３の全光時における負荷電圧（Ｖｆ１）を負荷電流（Ｉｆ１）の２倍で除した値（Ｖｆ１／（Ｉｆ１＊２））よりも大きい値に設定されているので、ＬＥＤ電源装置１の電流−電力特性と、ＬＥＤ負荷３の電流−電力特性とが交差する交差角度が大きくなる。これにより、図３において説明したように、ＬＥＤ負荷３のばらつきに対して、ＬＥＤ電源装置１の電流−電力特性での電力のばらつきの範囲が小さくなり、ＬＥＤ負荷３の消費電力のばらつきが抑制される。特に、ＬＥＤ負荷３の全光時におけるばらつきの範囲は大きいので、全光時におけるＬＥＤ負荷３の消費電力のばらつきが抑制される。
【００５２】
そして、制御式１の定数ａをａ１≦ａ＜ａ２の範囲とすることにより、ＬＥＤ負荷３のばらつきに対してＬＥＤ負荷３の電力の変動範囲が±１５％以内に制御される。これにより、ＬＥＤ負荷３の負荷電流の増加を抑制できてＬＥＤ負荷３の寿命が確保され、光出力のばらつきも抑制される。
【００５３】
本実施形態のＬＥＤ電源装置１によれば、制御手段５は、ＬＥＤ負荷３の負荷電圧Ｖｆの検出電圧値および負荷電流Ｉｆの検出電流値の合計値に応じて直流出力生成回路２の電界効果トランジスタＱ１をオンオフ制御することにより、直流出力生成回路２の出力が出力電圧−ａ＊出力電流＋定数（ｂ）を満足するように制御するので、ＬＥＤ電源装置１の電流−電力特性とＬＥＤ負荷３の電流−電力特性との交差角度が大きくなり、これにより、ＬＥＤ負荷３のばらつきに対して、ＬＥＤ負荷３の負荷電力のばらつきの範囲を抑制できるという効果を有する。
【００５４】
また、ＬＥＤ負荷３の全光時および調光時において、ＬＥＤ負荷３の個体差によるばらつきや温度特性のばらつきに対して、ＬＥＤ負荷３に流れる負荷電流の変動範囲も抑制することができて、ＬＥＤ負荷３の寿命を確保できるとともに、光出力のばらつきも抑制することができるという効果を有する。
【００５５】
なお、本実施形態において、調光手段５の比較器１１の一方の入力端子に、基準値出力回路４から調光信号の調光深度ｋ１、ｋ２、…、ｋ７に応じた基準値（Ｖref/k）を入力するように構成しているが、これに限らず、比較器１１の一方の入力端子に一定の基準電圧を入力し、比較器１１の他方の入力端子に入力されるＬＥＤ負荷３の負荷電圧（Ｖｆ）の検出電圧値および負荷電流（Ｉｆ）の合計値を調光信号の調光深度ｋ１、ｋ２、…、ｋ７に応じて変化させるように構成してもよい。
【００５６】
また、直流出力生成回路２のＤＣ−ＤＣ変換回路７は、一石の電界効果トランジスタＱ１を有する降圧チョッパ回路に構成したが、これに限らず、ＡＣ−ＤＣ変換回路６に対して昇圧チョッパ回路や昇降圧チョッパ回路などに構成されたものであってもよく、絶縁形トランスやフライバック回路などを用いて構成してもよい。
【００５７】
また、本実施形態では、アナログ回路の例で説明したが、マイコンやデジタル処理を用いた制御方式を採用することもできる。
【００５８】
次に、本発明の第２の実施形態について説明する。
【００５９】
本実施形態の照明装置２１は、図４に示すように構成される。なお、図４において、図１と同一部分には、同一符号を付して説明は省略する。
【００６０】
照明装置２１は、天井面等に埋設されるダウンライトであり、略円筒状の装置本体２２の下端側２２ａに円形の化粧枠２３がリベット２４により取り付けられ、この化粧枠２３に透光性カバー２５が配設されている。化粧枠２３は、その外面２３ａに補強片２６が設けられている。
【００６１】
そして、装置本体２２は、左右両側に装置本体２２を天井面等に固定するための一対の取付けばね２７，２７をリベット２８により取り付けている。また、装置本体２２は、下端側２２ａの内部にＬＥＤ負荷３を回転対称に４個配設している。ＬＥＤ負荷３は、基板２９に複数個のＬＥＤベアチップ９ａが実装され、このＬＥＤベアチップ９ａを透光性樹脂３０で封止した既存の発光体に形成されている。
【００６２】
また、装置本体２２は、その中間側２２ｂの内部に、ＬＥＤ負荷３を除いた図１に示すＬＥＤ電源装置１が配設されている。ＬＥＤ電源装置１は、各ＬＥＤ負荷３のＬＥＤベアチップ９ａに電力を供給する。そして、装置本体２２の上面側２２ｃには、交流電源からの図示しない電源線を接続する端子台３１が配設されている。
【００６３】
本実施形態の照明装置２１は、図１に示すＬＥＤ電源装置１を具備しているので、各ＬＥＤ負荷３の消費電力のばらつきを抑制できて、光出力のばらつきが抑制された照明光を安定して出射することができるという効果を有する。
【００６４】
なお、照明装置２１は、埋込型のダウンライトに形成したが、これに限らず、ＬＥＤ電源装置１を具備する長形の埋込型、直付け型や吊り下げ型などの照明装置やＬＥＤ電球などのランプ装置に形成されたものであってもよい。
【符号の説明】
【００６５】
１…ＬＥＤ電源装置、  ２…直流出力生成回路、  ３…ＬＥＤ負荷、  ４…基準値出力回路、  ５…制御手段、  ２１…照明装置、  ２２…装置本体、  Ｑ１…スイッチング素子としての電界効果トランジスタ
【図１】
2013125730.tif 000003
【図２】
2013125730.tif 000004
【図３】
2013125730.tif 000005
【図４】
2013125730.tif 000006